(57)【要約】【課題】台所に適した生ゴミ減容器を提供する。【解決手段】水道圧を導く水道圧導入通路４と、この水道圧によって生ゴミ等を減容する減容アクチュエータ３と、この減容アクチュエータ３に対するゴミ投入口７を開閉するフタ１０と、水道圧導入通路４を開閉する安全バルブ１５とを備え、このフタ１０がゴミ投入口７を開く動作に連動して安全バルブ１５が閉弁する一方、フタ１０がゴミ投入口７を閉じる動作に連動して安全バルブ１５が開弁する構成とする。【選択図】    図１
2004217383.tif 000002
【特許請求の範囲】
【請求項１】
水道圧を導く水道圧導入通路と、この水道圧によって生ゴミ等を減容する減容アクチュエータと、この減容アクチュエータに対するゴミ投入口を開閉するフタと、このフタがゴミ投入口を開いた状態で減容アクチュエータの減容作動を止めるとともにフタがゴミ投入口を閉じた状態で減容アクチュエータの減容作動を可能にする減容作動制限手段とを備えたことを特徴とする生ゴミ減容器。
【請求項２】
前記減容作動制限手段として前記水道圧導入通路を開閉する安全バルブを備え、前記フタが前記ゴミ投入口を開いた状態ではこの安全バルブが閉弁する一方、フタがゴミ投入口を閉じる動作に連動して安全バルブが開弁する構成としたことを特徴とする請求項１に記載の生ゴミ減容器。
【請求項３】
前記安全バルブはその上端からロッド部が延び、このロッド部が前記フタを着座させるケーシングの座面から摺動可能に突出するように介装され、フタがケーシングの座面に着座することにより、ロッド部がフタに押されて安全バルブが開弁する構成としたことを特徴とする請求項２に記載の生ゴミ減容器。
【請求項４】
前記安全バルブはその上端からロッド部が延び、前記フタにこのロッド部と同軸上に位置する突起を形成し、フタがケーシングの座面に着座することにより、ロッド部が突起に押されて安全バルブが開弁する構成としたことを特徴とする請求項２に記載の生ゴミ減容器。
【請求項５】
前記減容作動制限手段として前記水道圧導入通路を開閉する開閉バルブと、前記フタに設けられこの開閉バルブを開閉操作する操作ボタンとを備え、フタが前記ゴミ投入口を開いた状態では操作ボタンによって開閉バルブが開閉操作されることを止める一方、フタがゴミ投入口を閉じた状態では操作ボタンによって開閉バルブが開閉操作されることを可能にする構成としたことを特徴とする請求項１に記載の生ゴミ減容器。
【請求項６】
前記開閉バルブはその先端から延びるロッド部を有し、前記フタを着座させるケーシングにこのロッド部を摺動可能に介装し、フタが前記ゴミ投入口を閉じた状態で操作ボタンがロッド部と同軸上に位置し、操作ボタンを押すことによってロッド部が押し込まれて開閉バルブが開弁作動する構成としたことを特徴とする請求項５に記載の生ゴミ減容器。
【請求項７】
前記減容作動制限手段として前記水道圧導入通路を開閉するソレノイドバルブと、このソレノイドバルブに対する駆動電流を遮断する安全スイッチとを備え、前記フタが前記ゴミ投入口を開いた状態では安全スイッチが開成する一方、フタがゴミ投入口を閉じる動作に連動して安全スイッチが閉成する構成としたことを特徴とする請求項１に記載の生ゴミ減容器。
【請求項８】
前記フタをその外周に係止溝が刻まれる円盤状に形成し、フタを着座させるケーシングにこの係止溝に係合する突起を形成し、フタをケーシングに着座させて回動させることによって係止溝にこの突起が係合してフタが閉位置に保持される構成としたことを特徴とする請求項１から７のいずれか一つに記載の生ゴミ減容器。
【発明の詳細な説明】
【０００１】
【発明の属する技術分野】
本発明は、キッチンの排水口等に溜まった生ゴミを水道の水圧を利用して減容する生ゴミ減容器の改良に関するものである。
【０００２】
【従来の技術】
従来、この種の生ゴミ減容器として、例えば図７に示すように、シンク底の排水口に生ゴミを溜めるゴミかご５０が設けられ、水道管５１の水圧によってプッシャ５２がゴミかご５０内を移動して生ゴミを減容するようになっている。プッシャ５２を駆動する水圧シリンダ５４が設けられ、この水圧シリンダ５４に導かれる水圧は方向切換弁５３を介して切換えられる。
【０００３】
【特許文献１】
特開平７−１９５１９８号公報
【０００４】
【発明が解決しようとする課題】
しかしながら、上記した従来の生ゴミ減容器にあっては、排水口が開口していると、臭いが外部に洩れやすく、水圧シリンダ５４の減容作動時に排水口に手等を入れてしまう可能性があった。
【０００５】
本発明は上記の問題点を鑑みてなされたものであり、台所に適した生ゴミ減容器を提供することを目的とする。
【０００６】
【課題を解決するための手段】
第１の発明は、水道圧を導く水道圧導入通路と、この水道圧によって生ゴミ等を減容する減容アクチュエータと、この減容アクチュエータに対するゴミ投入口を開閉するフタと、このフタがゴミ投入口を開いた状態で減容アクチュエータの減容作動を止めるとともにフタがゴミ投入口を閉じた状態で減容アクチュエータの減容作動を可能にする減容作動制限手段とを備えたことを特徴とするものとした。
【０００７】
第２の発明は、第１の発明において、減容作動制限手段として水道圧導入通路を開閉する安全バルブを備え、このフタがゴミ投入口を開く動作に連動して安全バルブが閉弁する一方、フタがゴミ投入口を閉じる動作に連動して安全バルブが開弁する構成としたことを特徴とするものとした。
【０００８】
第３の発明は、第２の発明において、安全バルブはその上端からロッド部が延び、このロッド部がフタを着座させるケーシングの座面から摺動可能に突出するように介装され、フタがケーシングの座面に着座することにより、ロッド部がフタに押されて安全バルブが開弁する構成としたことを特徴とするものとした。
【０００９】
第４の発明は、第２の発明において、安全バルブはその上端からロッド部が延び、フタにこのロッド部と同軸上に位置する突起を形成し、フタがケーシングの座面に着座することにより、ロッド部が突起に押されて安全バルブが開弁する構成としたことを特徴とするものとした。
【００１０】
第５の発明は、第１の発明において、減容作動制限手段として水道圧導入通路を開閉する開閉バルブと、フタに設けられこの開閉バルブを開閉操作する操作ボタンとを備え、フタがゴミ投入口を開いた状態では操作ボタンによって開閉バルブが開閉操作されることを止める一方、フタがゴミ投入口を閉じた状態では操作ボタンによって開閉バルブが開閉操作されることを可能にする構成としたことを特徴とするものとした。
【００１１】
第６の発明は、第５の発明において、開閉バルブはその先端から延びるロッド部を有し、フタを着座させるケーシングにこのロッド部を摺動可能に介装し、フタがゴミ投入口を閉じた状態で操作ボタンがロッド部と同軸上に位置し、操作ボタンを押すことによって、ロッド部が押し込まれ、開閉バルブが開弁作動する構成としたことを特徴とするものとした。
【００１２】
第７の発明は、第１の発明において、減容作動制限手段として水道圧導入通路を開閉するソレノイドバルブと、ソレノイドバルブに対する駆動電流を遮断する安全スイッチとを備え、フタがゴミ投入口を開く動作に連動して安全スイッチが開成する一方、フタがゴミ投入口を閉じる動作に連動して安全スイッチが閉成する構成としたことを特徴とするものとした。
【００１３】
第８の発明は、第１から第７のいずれか一つの発明において、フタをその外周に係止溝が刻まれる円盤状に形成し、フタを着座させるケーシングにこの係止溝に係合する突起を形成し、フタをケーシングに着座させて回動させることによって係止溝にこの突起が係合してフタが閉位置に保持される構成としたことを特徴とするものとした。
【００１４】
【発明の作用および効果】
第１の発明によると、フタがゴミ投入口を開いた状態で減容アクチュエータの減容作動を止める一方、フタがゴミ投入口を閉じた状態で減容アクチュエータの減容作動を可能にする。これにより、フタがゴミ投入口を開いたまま、減容アクチュエータが減容作動することが回避され、減容アクチュエータによって手が挟まれるといった不具合が回避される。
【００１５】
第２の発明によると、フタがゴミ投入口を開いた状態では安全バルブが閉弁することにより、減容アクチュエータが減容作動せず、安全性が確保される。
【００１６】
第３の発明によると、フタがゴミ投入口を開いた状態では安全バルブが閉弁する一方、フタがケーシングの座面に着座することにより、ロッド部がフタに押されて安全バルブが開弁し、安全バルブを操作する手間が省ける。
【００１７】
第４の発明によると、フタがゴミ投入口を開いた状態では安全バルブが閉弁する一方、フタがケーシングの座面に着座することにより、ロッド部がフタの突起に押されて安全バルブが開弁し、安全バルブを操作する手間が省ける。
【００１８】
そして、ロッド部がケーシングの座面から突出していないため、フタ以外のものでロッド部が押されて安全バルブが開弁する心配がない。
【００１９】
第５の発明によると、フタがゴミ投入口を開いた状態では操作ボタンによって開閉バルブが開閉操作されることを止めることにより、減容アクチュエータが減容作動せず、安全性が確保される。
【００２０】
第６の発明によると、フタがゴミ投入口を閉じると、操作ボタンが開閉バルブのロッド部と同軸上に位置しているため、操作ボタンを押すことによって、ロッド部が押し込まれ、開閉バルブが開弁作動して水道圧導入通路を開通させることにより、減容アクチュエータが生ゴミを減容し、水切りが行われる。このとき、ゴミ投入口がフタによって塞がれているため、減容アクチュエータによって手が挟まれるといった不具合が回避され、安全性が確保される。
【００２１】
第７の発明によると、フタがゴミ投入口を開いた状態では安全スイッチが開成することにより、減容アクチュエータが減容作動せず、安全性が確保される。
【００２２】
第８の発明によると、フタをケーシングに着座させて回動させることによって係止溝が突起が係合し、フタが閉位置に保持される。このため、減容アクチュエータの減容作動中にフタが開いてしまうことが回避され、安全性が確保される。
【００２３】
【発明の実施の形態】
以下、本発明の実施の形態を添付図面に基づいて説明する。
【００２４】
図１に示すように、生ゴミ減容器２は、台所の流し台のシンク底１に生ゴミを捕集するゴミかご６が設けられ、ゴミかご６を通過した排水が排水管９へと排出されるようになっている。
【００２５】
生ゴミ減容器２は、シンク底１に設けられるケーシング８と、ゴミかご６内の生ゴミを水道圧によって減容する減容アクチュエータ３と、この減容アクチュエータ３に水道圧を導く水道圧導入通路４とを備える。
【００２６】
水道圧導入通路４の途中には操作バルブ５が介装される。操作バルブ５は手動によって開閉操作され、操作バルブ５が開かれると水道圧によって減容アクチュエータ３がゴミかご６内に押し出されて生ゴミを減容する一方、操作バルブ５が閉じられると減容アクチュエータ３がゴミかご６から引き戻されて格納されるようになっている。
【００２７】
生ゴミ減容器２は、ケーシング８にゴミかご６に生ゴミを投入するゴミ投入口７が形成され、このゴミ投入口７を開閉する円盤状のフタ１０を備える。ケーシング８にはこのフタ１０を着座させる環状の座面１９が形成される。フタ８はその外周に係止溝１１が刻まれ、ケーシング８にこの係止溝１１に係合する突起１２が形成される。フタ１０を座面１９に着座させて回動させることによって係止溝１１が突起１２が係合し、フタ１０が閉位置に保持される。このため、減容アクチュエータ３の減容作動中にフタ１０が開いてしまうことが回避される。
【００２８】
生ゴミ減容器２は、図２に示すように、水道圧導入通路４を開閉する安全バルブ１５を備える。安全バルブ１５は水道圧導入通路４を閉じる閉ポジションと水道圧導入通路４を開く開ポジションとに切換えられる。なお、安全バルブ１５はスプール形に限らず、図３に示すようにポペット形のものを用いても良い。
【００２９】
スプール形の安全バルブ１５はケーシング８のバルブ穴１６に摺動可能に介装される。ケーシング８と安全バルブ１５の間にバネ１７が介装され、このバネ１７の付勢力によって安全バルブ１５が閉ポジションに保持される。
【００３０】
そして本発明の要旨とするところであるが、生ゴミ減容器２は、フタ１０がゴミ投入口７を開いた状態では安全バルブ１５がバネ１７の付勢力によって水道圧導入通路４を遮断し、減容アクチュエータ３の減容作動を止めるとともに、フタ１０がゴミ投入口７を閉じた状態では安全バルブ１５がバネ１７に抗して水道圧導入通路４を開通し、減容アクチュエータ３の減容作動を可能にする減容作動制限手段とを備える。
【００３１】
本実施の形態では、減容作動制限手段としてフタ１０がゴミ投入口７を閉じる動作に連動して安全バルブ１５が開弁する一方、フタ１０がゴミ投入口７を開く動作に連動して安全バルブ１５が閉弁する構成とする。このように、フタ１０の開閉操作に連動して安全バルブ１５が開閉されるため、安全バルブ１５を開閉操作する手間が省ける。
【００３２】
具体的には、円柱状の安全バルブ１５はその上端からロッド部１８が延び、このロッド部１８がケーシング８のフタ１０に対する座面１９から摺動可能に突出するように介装される。フタ１０が座面１９に着座することにより、ロッド部１８がフタ１０によって押され、安全バルブ１５が閉ポジションから開ポジションに切換えられる。
【００３３】
なお、安全バルブ１５のロッド部１８をケーシング８の座面１９から突出しないように形成し、フタ１０にロッド部１８を押し込む突起を形成しても良い。この場合、ロッド部１８がケーシング８の座面１９から突出していないため、フタ１０以外のものでロッド部１８が押される心配がない。
【００３４】
以上のように構成される本発明の実施の形態につき、次に作用を説明する。
【００３５】
図１に示すように、フタ１０がゴミ投入口７を開いた状態では、バネ１７の付勢力によって安全バルブ１５が閉ポジションに保持される。これにより、水道圧が減容アクチュエータ３に導かれない。このため、フタ１０が開かれたまま操作バルブ５を開閉操作しても減容アクチュエータ３が減容作動せず、格納位置に保持されている。
【００３６】
フタ１０がゴミ投入口７を閉じると、ロッド部１８がフタ１０によって押され、安全バルブ１５が閉ポジションから開ポジションに切換えられる。これにより、操作バルブ５を開閉操作することによって水道圧が減容アクチュエータ３に導かれて容アクチュエータ３が生ゴミを減容し、水切りが行われる。このとき、ゴミ投入口７がフタ１０によって塞がれているため、減容アクチュエータ３の減容作動時にゴミ投入口７に手等を入れてしまうことがなく、減容アクチュエータ３によって手が挟まれるといった不具合が回避される。
【００３７】
次に図３、図４に示す他の実施の形態を説明する。なお、前記実施の形態と同一構成部には同一符号を付す。
【００３８】
水道圧導入通路４の途中には開閉バルブ２５が介装される。ポペット形の開閉バルブ２５はケーシング８の穴２６に摺動可能に介装される。ケーシング８と開閉バルブ２５の間にバネ２７が介装され、このバネ２７の付勢力によって開閉バルブ２５がシート部２８に着座し、水道圧導入通路４を閉じる。
【００３９】
円柱状の開閉バルブ２５はその先端からロッド部２９が延び、このロッド部２９がケーシング８に摺動可能に介装される。開閉バルブ２５がシート部２８に着座した閉位置にて、ロッド部２９はケーシング８のフタ１０に対する座面１９から突出せず、フタ１０が座面１９に着座する動作に干渉しない。
【００４０】
フタ１０には開閉バルブ２５を開閉操作する操作ボタン２１が設けられ、フタ１０がゴミ投入口７を開いた状態では操作ボタン２１によって開閉バルブ２５が開閉操作されることを止め、フタ１０がゴミ投入口７を閉じた状態では操作ボタン２１によって開閉バルブ２５が開閉操作されることを可能にする構成とする。
【００４１】
この操作ボタン２１はフタ１０の穴２２に摺動可能に支持される。図３に示すように、フタ１０が座面１９に着座した閉位置にて、操作ボタン２１は開閉バルブ２５のロッド部２９と同軸上に位置し、操作ボタン２１を押すことによって、ロッド部２９が押し込まれ、開閉バルブ２５がバネ２７に抗してシート部２８から離れて開弁作動する。
【００４２】
以上のように構成される本発明の実施の形態につき、次に作用を説明する。
【００４３】
フタ１０がゴミ投入口７を開いた状態では、バネ２７の付勢力によって開閉バルブ２５が閉ポジションに保持され、開閉バルブ２５が開弁作動することがない。このため、減容アクチュエータ３が格納位置に保持されている。
【００４４】
フタ１０がゴミ投入口７を閉じると、操作ボタン２１が開閉バルブ２５のロッド部２９と同軸上に位置しているため、操作ボタン２１を押すことによって、ロッド部２９が押し込まれ、開閉バルブ２５が開弁作動して水道圧導入通路４を開通させることにより、減容アクチュエータ３が生ゴミを減容し、水切りが行われる。このとき、ゴミ投入口７がフタ１０によって塞がれているため、減容アクチュエータ３によって手が挟まれるといった不具合が回避される。
【００４５】
この場合、前記実施の形態に比べて水道圧供給通路４に介装されるバルブの個数を削減できる。
【００４６】
次に図５、図６に示す他の実施の形態を説明する。なお、前記実施の形態と同一構成部には同一符号を付す。
【００４７】
水道圧導入通路４の途中にはソレノイドバルブ３５が介装される。ソレノイドバルブ３５はその非通電時に水道圧導入通路４を閉じる閉ポジションに保持され、その通電時に水道圧導入通路４を開く開ポジションに切換えられる。
【００４８】
電源３３によってソレノイドバルブ３５を通電する駆動回路３０には、操作スイッチ３１と安全スイッチ３２が直列に介装される。この両スイッチ３１，３２が共にＯＮになると、ソレノイドバルブ３５が通電して開弁作動し、両スイッチ３１，３２の少なくとも一方が共にＯＦＦになると、ソレノイドバルブ３５が閉弁するようになっている。
【００４９】
フタ１０がゴミ投入口７を閉じる動作に連動して安全スイッチ３２が閉成する一方、フタ１０がゴミ投入口７を開く動作に連動して安全スイッチ３２が開成する構成とする。
【００５０】
安全スイッチ３２はその上端からロッド部３８が延び、このロッド部３８がケーシング８のフタ１０に対する座面１９から摺動可能に突出するように介装される。フタ１０が座面１９に着座することにより、ロッド部３８がフタ１０によって押され、安全スイッチ３２がＯＦＦからＯＮに切換えられる。
【００５１】
なお、安全スイッチ３２のロッド部３８をケーシング８の座面１９から突出しないように形成し、フタ１０にロッド部３８を押し込む突起を形成しても良い。
この場合、ロッド部３８がケーシング８の座面１９から突出していないため、フタ１０以外のものでロッド部３８が押される心配がない。
【００５２】
以上のように構成される本発明の実施の形態につき、次に作用を説明する。
【００５３】
図５に示すように、フタ１０がゴミ投入口７を開いた状態では、安全スイッチ３２がＯＦＦになり、ソレノイドバルブ３５が開弁作動することがない。このため、フタ１０が開かれたまま操作スイッチ３１をＯＮに操作しても減容アクチュエータ３が減容作動せず、格納位置に保持されている。
【００５４】
フタ１０がゴミ投入口７を閉じると、ロッド部３８がフタ１０によって押され、安全スイッチ３２がＯＦＦからＯＮに切換えられる。これにより、操作スイッチ３１をＯＮに操作することによってソレノイドバルブ３５が開弁作動し、これに伴い減容アクチュエータ３が生ゴミを減容し、水切りが行われる。このとき、ゴミ投入口７がフタ１０によって塞がれているため、減容アクチュエータ３によって手が挟まれるといった不具合が回避される。
【００５５】
本発明は上記の実施の形態に限定されずに、その技術的な思想の範囲内において種々の変更がなしうることは明白である。
【図面の簡単な説明】
【図１】本発明の実施の形態を示す生ゴミ減容器の断面図。
【図２】同じく生ゴミ減容器の構成図。
【図３】他の実施の形態を示す生ゴミ減容器の断面図。
【図４】同じく生ゴミ減容器の構成図。
【図５】他の実施の形態を示す生ゴミ減容器の断面図。
【図６】同じく生ゴミ減容器の構成図。
【図７】従来例を示す生ゴミ減容器の概略構成図。
【符号の説明】
１  シンク底
２  生ゴミ減容器
３  減容アクチュエータ
４  水道圧導入通路
５  操作バルブ
６  ゴミかご
７  ゴミ投入口
８  ケーシング
１０  フタ
１１  係止溝
１２  突起
１５  安全バルブ
１９  座面
２１  操作ボタン
２５  開閉バルブ
２９  ロッド部
３０  駆動回路
３１  操作スイッチ
３２  安全スイッチ
３５  ソレノイドバルブ
【図１】
2004217383.tif 000003
【図２】
2004217383.tif 000004
【図３】
2004217383.tif 000005
【図４】
2004217383.tif 000006
【図５】
2004217383.tif 000007
【図６】
2004217383.tif 000008
【図７】
2004217383.tif 000009